(57)【要約】【課題】  二種類のブレードアセンブリを使用可能な園芸用バリカンにおいて、共用されるカム部材の質量バランスを改善する。【解決手段】  カム部材には、第１、第２、第３及び第４の四つのカムが設けられている。第１及び第２のカムは、バリカン本体に取り付けられた第１種類のブレードアセンブリの一対のシャーブレードに接続される。第３及び第４のカムは、バリカン本体に取り付けられた第２種類のブレードアセンブリの一対のシャーブレードに接続される。この構成によれば、カム部材の全体の質量バランスを考慮して、四つのカムをバランスよく配置することができる。【選択図】図６
2011030542.tif 000002
【特許請求の範囲】
【請求項１】
第１及び第２の種類のブレードアセンブリと、
第１及び第２の種類のブレードアセンブリを択一的に取付可能なバリカン本体と、
前記バリカン本体に設けられている原動機と、
前記原動機によって回転駆動されるとともに、回転することによって前記バリカン本体に取り付けられたブレードアセンブリの一対のシャーブレードを往復運動させるカム部材を備え、
前記カム部材には、第１、第２、第３及び第４のカムが設けられており、
前記バリカン本体に取り付けられた第１種類のブレードアセンブリの一対のシャーブレードには第１及び第２のカムが接続され、
前記バリカン本体に取り付けられた第２種類のブレードアセンブリの一対のシャーブレードには第３及び第４のカムが接続される、
ことを特徴とする園芸用バリカン。
【請求項２】
前記第１、第２、第３及び第４のカムの少なくとも一つは、前記第１、第２、第３及び第４のカムの他の少なくとも一つと比較して、その径寸法が小さいとともにその厚み寸法が大きいことを特徴とする請求項１に記載の園芸用バリカン。
【請求項３】
前記バリカン本体には、前記原動機によって回転駆動されるとともに、前記カム部材が同軸に固定される回転部材が設けられており、
前記回転部材には、前記カム部材を表裏いずれの向きでも固定できるとともに、固定されたカム部材が部分的に収容される凹部が形成されており、
前記回転部材に対して前記カム部材が第１の向きで固定された状態では、前記第１及び第２のカムが前記バリカン本体に取り付けられた第１種類のブレードアセンブリの一対のシャーブレードに接続されるとともに、前記第３及び第４のカムは前記回転部材に形成された凹部に収容され、
前記回転部材に対して前記カム部材が第２の向きで固定された状態では、前記第３及び第４のカムが前記バリカン本体に取り付けられた第２種類のブレードアセンブリの一対のシャーブレードに接続されるとともに、前記第１及び第２のカムは前記回転部材に形成された凹部に収容される、
ことを特徴とする請求項１又は２に記載の園芸用バリカン。
【請求項４】
前記第１、第２、第３及び第４のカムの少なくとも一つには、部分的に薄肉部が形成されていることを特徴とする請求項１から３のいずれか一項に記載の園芸用バリカン。
【発明の詳細な説明】
【技術分野】
【０００１】
本発明は、園芸用バリカンに関する。特に、二種類のブレードアセンブリを使用可能な園芸用バリカンに関する。
【背景技術】
【０００２】
特許文献１、２に、二種類のブレードアセンブリを使用可能な園芸用バリカンが開示されている。この園芸用バリカンは、第１及び第２の種類のブレードアセンブリと、第１及び第２の種類のブレードアセンブリを択一的に取付可能なバリカン本体を備えている。バリカン本体には、原動機と、原動機によって回転駆動されるカム部材が設けられている。カム部材は、回転することによって、バリカン本体に取り付けられたブレードアセンブリの一対のシャーブレードを往復運動させる。カム部材には、第１、第２及び第３の三つのカムが設けられている。この園芸バリカンでは、バリカン本体に第１種類のブレードアセンブリが取り付けられると、当該ブレードアセンブリの一対のシャーブレードに第１及び第２のカムが接続され、バリカン本体に第２種類のブレードアセンブリが取り付けられると、当該ブレードアセンブリの一対のシャーブレードに第２及び第３のカムが接続される。
【先行技術文献】
【特許文献】
【０００３】
【特許文献１】特開２００５−３４１８８５号公報
【特許文献２】特開２００７−１５１４３７号公報
【発明の概要】
【発明が解決しようとする課題】
【０００４】
上記した園芸用バリカンでは、第１及び第２の二種類のブレードアセンブリに対して、共通のカム部材が用いられている。この構造によれば、ブレードアセンブリの種類毎に、専用のカム部材を用意する必要がない。また、一つのカム（第２のカム）を二種類のブレードアセンブリで共用することにより、カム部材に設けるカムの数を削減することに成功している。
しかしながら、カム部材に三つのカムを設ける構造では、カム部材の質量バランスが悪化するという問題がある。即ち、第１種類のブレードアセンブリにおいて同時に使用される第１及び第２のカムは、カム部材の回転軸に対して互いに反対方向へオフセットさせる必要がある。また、第２種類のブレードアセンブリにおいて同時に使用される第２及び第３のカムは、カム部材の回転軸に対して互いに反対方向へオフセットさせる必要がある。従って、第１、第２及び第３の三つのカム部材のうち、第１及び第３の二つのカムは、カム部材の回転軸に対して同一方向にオフセットさせなければならない。その結果、カム部材の質量は、回転軸に対して一方向に偏ってしまう。カム部材は比較的に高速で回転することから、カム部材の質量バランスが悪化することにより、不快な振動や騒音の発生が問題となることもある。
本発明は、上記の問題を解決する。本発明は、二種類のブレードアセンブリを使用可能な園芸用バリカンにおいて、共用されるカム部材の質量バランスを改善し得る技術を提供する。
【課題を解決するための手段】
【０００５】
本発明によって具現化される園芸用バリカンは、第１及び第２の種類のブレードアセンブリと、第１及び第２の種類のブレードアセンブリを択一的に取付可能なバリカン本体を備えている。バリカン本体には、原動機と、原動機によって回転駆動されるカム部材が設けられている。カム部材は、回転することによって、バリカン本体に取り付けられたブレードアセンブリの一対のシャーブレードを往復運動させる。
前記したカム部材には、第１、第２、第３及び第４のカムが設けられており、バリカン本体に取り付けられた第１種類のブレードアセンブリの一対のシャーブレードには第１及び第２のカムが接続され、バリカン本体に取り付けられた第２種類のブレードアセンブリの一対のシャーブレードには第３及び第４のカムが接続される。
【０００６】
上記した園芸用バリカンでは、カム部材に、第１、第２、第３及び第４の四つのカムが設けられている。この構造によれば、カム部材の回転軸に対して四つのカムを９０度間隔で配置することもできるし、カム部材の回転軸に対して互いに反対方向へ二つずつカムを配置することもできる。カム部材の質量バランスを考慮して、四つのカムをバランスよく配置することができる。
上記した園芸用バリカンによれば、カム部材の質量バランスが悪化することを防止して、不快な振動は騒音の発生を抑制することができる。
【０００７】
カムの径寸法は、当該カムが接続されるシャーブレードの形態や、当該シャーブレードを振動させる振幅等に応じて、適宜設計することができる。即ち、四つのカムの径寸法は、同一である必要はなく、互いに相違させることができる。ただし、四つのカムの径寸法を互いに相違させると、四つのカムの質量も互いに相違することになって、カム部材の質量バランスを悪化させてしまうことがある。その場合は、径寸法が小さいカムの厚み寸法を、大きくすることが有効である。言い換えれば、径寸法が大きいカムの厚み寸法を、小さくすることが有効である。
上記した技術思想に基づいてカム部材を設計すると、第１、第２、第３及び第４のカムの少なくとも一つは、第１、第２、第３及び第４のカムの他の少なくとも一つと比較して、その径寸法が小さいとともにその厚み寸法が大きいという特徴を具備することになる。
【０００８】
前記したバリカン本体には、原動機によって回転駆動されるとともに、カム部材が同軸に固定される回転部材が設けられていることが好ましい。この場合、回転部材には、カム部材を表裏いずれの向きでも固定できるとともに、固定されたカム部材が部分的に収容される凹部が形成されていることが好ましい。
この構造によれば、回転部材に対してカム部材が第１の向きで固定された状態では、第１及び第２のカムがバリカン本体に取り付けられた第１種類のブレードアセンブリの一対のシャーブレードに接続されるとともに、使用されない第３及び第４のカムについては、回転部材に形成された凹部に収容することができる。また、回転部材に対してカム部材が第２の向きで固定された状態では、第３及び第４のカムがバリカン本体に取り付けられた第２種類のブレードアセンブリの一対のシャーブレードに接続されるとともに、使用されない第１及び第２のカムについては、回転部材に形成された凹部に収容することができる。
カム部材に四つのカムを設けると、カム部材の回転軸方向の寸法が増大し、カム部材を配設するのに必要なスペースも拡大し得る。この場合、上記した構造を採用し、使用されない二つのカムを回転部材に収容すれば、カム部材を配設するのに必要なスペースを縮小することが可能となる。
【０００９】
前記した第１、第２、第３及び第４のカムの少なくとも一つには、部分的に薄肉部が形成されていることが好ましい。
カムに薄肉部を形成することで、当該カムの質量を調整することができる。従って、四つのカムに薄肉部を選択的に形成し、各カムの質量を調整することによって、カム部材の全体の質量バランスを細かに調整することができる。
【発明の効果】
【００１０】
本発明によれば、二種類のブレードアセンブリを使用可能な園芸用バリカンにおいて、共用されるカム部材の質量バランスを改善することができる。その結果、不快な振動や騒音の発生が抑制され、園芸用バリカンの使用感を向上することができる。
【図面の簡単な説明】
【００１１】
【図１】実施例の園芸用バリカンを生垣用ブレードアセンブリと共に示す図。
【図２】実施例の園芸用バリカンを芝生用ブレードアセンブリと共に示す図。
【図３】ボトムカバーを示す図。
【図４】生垣用ブレードアセンブリを取り付けた園芸用バリカンの断面図。
【図５】芝生用ブレードアセンブリを取り付けた園芸用バリカンの断面図。
【図６】(ａ）カム部材の上面図と、(ｂ）カム部材の側断面図と、(ｃ）カム部材の底面図を示す図。
【図７】カム部材を立体的に示す図。
【図８】生垣用ブレードアセンブリのシャーブレード（一部）を示す図。
【図９】バリカン本体に取り付けられた生垣用ブレードアセンブリを示す図。
【図１０】バリカン本体から生垣用ブレードアセンブリを取り外した状態を示す図。
【図１１】生垣用ブレードアセンブリの固定ねじ及び保持部材を示す図。
【図１２】芝生用ブレードアセンブリのシャーブレードを示す図。
【図１３】バリカン本体に取り付けられた芝生用ブレードアセンブリを示す図。
【図１４】バリカン本体から芝生用ブレードアセンブリを取り外した状態を示す図。
【図１５】生垣用ブレードアセンブリの固定ねじ及び保持部材の変形例を示す図。
【図１６】バリカン本体に取り付けられた変形例の生垣用ブレードアセンブリを示す図。
【発明を実施するための形態】
【００１２】
最初に、以下に説明する実施例の主要な特徴を列記する。
（特徴１）  園芸用バリカンは、二種類のブレードアセンブリを備えている。第１の種類のブレードアセンブリは、主に生垣の刈込作業に用いられる生垣用ブレードアセンブリであり、第２の種類のブレードアセンブリは、主に芝生の刈込作業に用いられる芝生用ブレードアセンブリである。ただし、生垣用ブレードアセンブリは、生垣の刈込作業のみでなく、他の立ち木の刈込作業にも用いることができる。同様に、芝生用ブレードアセンブリは、芝生の刈込作業のみでなく、他の草花の刈込作業にも用いることができる。
（特徴２）  各々のブレードアセンブリは、一対のシャーブレードを備えている。一対のシャーブレードのそれぞれは、スライド可能又は揺動可能に支持されている。各々のシャーブレードの基端部には、カム部材のいずれかのカムと係合する係合孔が設けられている。係合孔は、長円形状を有しており、その長径方向は、シャーブレードがスライド又は揺動する方向に対して直交する。それにより、各々のシャーブレードは、カム部材の回転に伴って、往復運動するように構成されている。
（特徴３）  カム部材は、第１、第２、第３及び第４の四つのカムと、中間プレートを備えている。第１及び第２のカムは、中間プレートの一方側に設けられており、第３及び第４のカムは、中間プレートの他方側に設けられている。中間プレートは、カム部材を回転部材に対していずれの向きで取り付けても、回転部材に当接してカム部材を安定させる。
（特徴４）  固定ねじの頭部には、直線状に伸びる直線溝が形成されている。当該直線溝には、コイン状の部材を固定ねじの回転方向に関して係合させることができる。
【実施例】
【００１３】
実施例の園芸用バリカン１０について図面を参照しながら説明する。図１、図２に、園芸用バリカン１０の外観図を示す。園芸用バリカン１０は、図１、図２に示すバリカン本体１２と、図１に示す生垣用ブレードアセンブリ１００と、図２に示す芝生用ブレードアセンブリ２００を備えている。園芸用バリカン１０は、作業に応じてブレードアセンブリ１００、２００を取り替えることができ、生垣を刈り込む際には生垣用ブレードアセンブリ１００を使用し、芝生を刈り込む際には芝生用ブレードアセンブリ２００を使用することができる。
【００１４】
最初に、各ブレードアセンブリ１００、２００について説明する。図１に示すように、生垣用ブレードアセンブリ１００は、一対のシャーブレード１１０と、一対のシャーブレード１１０を保持する下プレート１２０及び上プレート１３０を備えている。一対のシャーブレード１１０は、下プレート１２０及び上プレート１３０によって挟持されており、スライド可能に支持されている。それぞれのシャーブレード１１０には、そのスライド方向に沿って、櫛状に並ぶ刃先１１２が形成されている。一対のシャーブレード１１０は、相対的に往復運動することにより、その刃先１１２によって生垣の枝葉を切断する。
【００１５】
また、生垣用ブレードアセンブリ１００には、生垣用ブレードアセンブリ１００をバリカン本体１２に固定するための固定ねじ１４０が二つ設けられている。固定ねじ１４０は、バリカン本体１２に捩じ込まれることで、生垣用ブレードアセンブリ１００をバリカン本体１２に固定する。バリカン本体１２には、固定ねじ１４０を受け入れるナット７２が二つ設けられている。生垣用ブレードアセンブリ１００は、固定ねじ１４０のみでなく、後述するボトムカバー３０にも保持されることにより、バリカン本体１２に対してしっかりと固定される。
【００１６】
図２に示すように、芝生用ブレードアセンブリ２００は、一対のシャーブレード２１０と、一対のシャーブレード２１０を保持する下プレート２２０及び支持ピン２３０を備えている。一対のシャーブレード２１０は、支持ピン２３０によって下プレート２２０に固定されており、揺動可能に支持されている。それぞれのシャーブレード２１０には、その揺動方向に沿って、櫛状に並ぶ刃先２１２が形成されている。一対のシャーブレード２１０は、相対的に往復運動することにより、その刃先２１２によって芝生を切断する。
なお、芝生用ブレードアセンブリ２００に、生垣用ブレードアセンブリ１００のような固定ねじ１４０は設けられていない。芝生用ブレードアセンブリ２００は、生垣用ブレードアセンブリ１００よりも寸法が短いので、後述するボトムカバー３０のみによっても、バリカン本体１２に対してしっかりと固定される。
【００１７】
次に、バリカン本体１２について説明する。図１、図２に示すように、バリカン本体１２は、ハウジング１４を備えている。ハウジング１４には、起動スイッチであるトリガ１６、利用者が把持するグリップ部１８、電源である電池パック２０、切り屑の飛来を防止するチップガード２２等が設けられている。
ハウジング１４の底部には、ブレードアセンブリ１００、２００を取り付ける開口部２４が形成されている。ハウジング１４の開口部２４には、生垣用ブレードアセンブリ１００と、芝生用ブレードアセンブリ２００を、択一的に取り付けることができる。ハウジング１４の開口部２４には、ブレードアセンブリ１００、２００を取り付けた後に、ボトムカバー３０が取り付けられる。なお、生垣用ブレードアセンブリ１００の場合は、ボトムカバー３０を取り付ける前に、固定ねじ１４０を締め付けておく。詳しくは後述するが、固定ねじ１４０は、スクリュウドライバといった工具を必要することなく、例えば硬貨のようなコイン状の部材によって締め付けたり緩めたりすることができる。
【００１８】
図３に、ボトムカバー３０を示す。ボトムカバー３０には、ハウジング１４に係合する四箇所の爪部３２と、ブレードアセンブリ１００、２００を支持する三箇所のブレード支持部３４が設けられている。ボトムカバー３０を取り付ける場合、ボトムカバー３０をハウジング１４の開口部２４に嵌めた状態で、ボトムカバー３０をハウジング１４に対して一方方向に回転させる。それにより、ボトムカバー３０の四箇所の爪部３２がハウジング１４に係合し、ボトムカバー３０がハウジング１４に対して固定される。ボトムカバー３０がハウジング１４に対して固定されると、ボトムカバー３０のブレード支持部３４は、バリカン本体１２に取り付けられたブレードアセンブリ１００、２００に当接する。ブレード支持部３４には、傾斜面３４ａが形成されており、ブレードアセンブリ１００、２００が、正しい位置に固定される。一方、ボトムカバー３０を取り外す場合は、ボトムカバー３０をハウジング１４に対して反対方向に回転させる。それにより、ボトムカバー３０の爪部３２とハウジング１４との係合が解除される。ボトムカバー３０の着脱に、スクリュウドライバ等の工具は必要とされない。園芸用バリカン１０では、工具を用いることなく、ブレードアセンブリ１００、２００を取り替えることができる。
【００１９】
次に、バリカン本体１２の内部構造について説明する。図４、図５は、園芸用バリカン１０の内部構造を示す断面図である。ここで、図４は生垣用ブレードアセンブリ１００を取り付けた状態を示しており、図４は芝生用ブレードアセンブリ２００を取り付けた状態を示している。
図４、図５に示すように、バリカン本体１２は、園芸用バリカン１０の原動機であるモータ４０と、モータ４０に設けられたモータピニオン４２と、モータピニオン４２に係合している二段ギヤ４４と、二段ギヤ４４に係合している最終ギヤ５０を備えている。最終ギヤ５０の下側の端面には、後述するカム部材６０を部分的に収容する凹部５２が形成されている。
モータ４０は、トリガ１６を介して電池パック２０に電気的に接続されている。利用者がトリガ１６を操作すると、電池パック２０からの電力によってモータ４０が回転する。モータ４０が回転すると、モータピニオン４２及び二段ギヤ４４を介して、最終ギヤ５０が回転駆動される。最終ギヤ５０は、シャフト７０によって支持されており、シャフト７０を中心に回転する。このように、最終ギヤ５０は、モータ４０によって回転駆動される回転部材である。
【００２０】
最終ギヤ５０の下側の端面には、カム部材６０が相対回転不能に固定されている。カム部材６０は、最終ギヤ５０と同軸に固定されており、最終ギヤ５０と共にシャフト７０を中心として回転する。即ち、カム部材６０は、モータ４０によって最終ギヤ５０と共に回転駆動される。図１に示すように、最終ギヤ５０の下側の端面には、カム部材６０を相対回転不能に保持する二本の連結ピン５４が設けられている（図４、図５には図示されていない）。なお、カム部材６０は最終ギヤ５０に対して着脱可能であり、バリカン本体１２からブレードアセンブリ１００、２００を取り外すことで、カム部材６０も最終ギヤ５０から取り外すことができる。
詳しくは後述するが、カム部材６０は、バリカン本体１２に取り付けられたブレードアセンブリ１００、２００の一対のシャーブレード１１０、２１０に接続される。カム部材６０は、回転することによって接続された一対のシャーブレード１１０、２１０を往復運動させる。ここで、一対のシャーブレード１１０、２１０は、互いに１８０度の位相差を持って往復運動する。なお、バリカン本体１２に生垣用ブレードアセンブリ１００を取り付ける場合と、バリカン本体１２に芝生用ブレードアセンブリ２００を取り付ける場合で、カム部材６０は最終ギヤ５０に対して表裏反対向きに取り付けられる。
【００２１】
次に、図６、図７を参照し、カム部材６０の構造について詳細に説明する。図６、図７に示すように、カム部材６０は、第１カム６１と第２カム６２と第３カム６３と第４カム６４の四つのカムを備えている。詳しくは後述するが、第１カム６１と第２カム６２は、生垣用ブレードアセンブリ１００の一対のシャーブレード１１０に接続されるカムであり、第３カム６３と第４カム６４は、芝生用ブレードアセンブリ２００の一対のシャーブレード２１０に接続されるカムである。
各々のカム６１、６２、６３、６４は、円板形状を有しており、第１カム６１、第２カム６２、第３カム６３、第４カム６４の順に積層されている。また、第２カム６２と第３カム６３の間には、円板部材である中間プレート６５が設けられている。カム部材６０には、バリカン本体１２のシャフト７０を受入れる中心孔６６と、最終ギヤ５０の連結ピン５４を受入れるピン挿入孔６７が形成されている。従って、中心孔６６の位置が、カム部材６０の回転中心を示す。四つのカム６１、６２、６３、６４と中間プレート６５は、二本の締結ピン６８によって互いに結合されている。
【００２２】
第１カム６１と第２カム６２は、中心孔６６に対して、互いに反対方向へオフセットされている。また、第３カム６３と第４カム６４は、中心孔６６に対して、互いに反対方向へオフセットされている。このように、カム部材６０では、中心孔６６に対して互いに反対方向へ二つずつカムが配置されている。それにより、カム部材６０の質量バランスが維持されている。カム部材６０の質量バランスが良好であるので、園芸用バリカン１０の動作時に不快な振動や騒音の発生が抑制される。
なお、変形例として、中心孔６６に対して第１カム６１及び第２カム６２をオフセットさせる方向と、中心孔６６に対して第３カム６３及び第４カム６４をオフセットさせる方向を、互いに直交するように設計してもよい。この場合でも、中心孔６６に対して四つのカムが９０度間隔で配置されることから、カム部材６０の質量バランスが維持される。
【００２３】
生垣用ブレードアセンブリ１００と芝生用ブレードアセンブリ２００では、一対のシャーブレード１１０、２１０が往復運動する方向や振幅が異なる。従って、四つのカム６１、６２、６３、６４は、各々が接続されるシャーブレード１１０、２１０に応じて、その直径や中心孔６６からのオフセット距離が個々に設計される。
【００２４】
本実施例では、第１カム６１と第２カム６２については、同一の直径を有するとともに、中心孔６６からのオフセット距離も同一となっている。一方、第３カム６３と第４カム６４については、互いに直径が異なるとともに、中心孔６６からのオフセット距離は同一となっている。特に、第４カム６４の直径Ｄ４は、他の三つのカム６１、６２、６３と比較して、特に小さくなっている。
第３カム６３と第４カム６４の径寸法が同一でない場合、第３カム６３と第４カム６４の質量が互いに相違することから、カム部材６０の質量バランスが悪化することになる。そこで、本実施例では、径寸法が小さい方の第４カム６４の厚み寸法Ｄ４を、径寸法が大きい方の第３カム６３の厚み寸法よりも大きくしている。それにより、第３カム６３と第４カム６４の質量差を小さくして、カム部材６０の質量バランスを改善している。このように、各カムの径寸法や中心孔６６からのオフセット距離に応じて、各カムの厚み寸法を調整することにより、カム部材６０の質量バランスを改善することができる。具体的には、径寸法が大きいほど、その厚み寸法を小さくするとよい。あるいは、オフセット距離が大きいほど、その厚み寸法を小さくするとよい。
【００２５】
さらに、第１カム６１と第４カム６４の表面には、部分的に薄肉部（窪み）６１ａ、６４ａが形成されている。第１カム６１と第４カム６４は、薄肉部６１ａ、６４ａによって、その質量が微調整されている。このように、一又は複数のカムに薄肉部を形成することで、各カムの質量を調整することができ、カム部材６０の質量バランスを細かに調整することができる。ここで、薄肉部（窪み）６１ａ、６４ａの形状は、人の指先を受入可能な形状とするとよい。それにより、作業者は、ブレードアセンブリ１００、２００を交換する際に、薄肉部（窪み）６１ａ、６４ａに指を置いてカム部材６０の向きを容易に調整することができる。
【００２６】
次に、カム部材６０と一対のシャーブレード１１０、２１０との接続について説明する。図８は、生垣用ブレードアセンブリ１００の一対のシャーブレード１１０をカム部材６０と共に示している。図９は、バリカン本体１２に取り付けられた生垣用ブレードアセンブリ１００を示している。先ずは、カム部材６０と生垣用ブレードアセンブリ１００の一対のシャーブレード１１０とが接続される態様について説明する。
図８、図９に示すように、生垣用ブレードアセンブリ１００の各々のシャーブレード１１０の基端部１１４には、カム部材６０に係合するための係合孔１１６が形成されている。バリカン本体１２に生垣用ブレードアセンブリ１００を取り付ける場合、カム部材６０は、第３カム６３と第４カム６４が最終ギヤ５０側に位置する向きで、最終ギヤ５０に固定される。それにより、生垣用ブレードアセンブリ１００の場合は、下側に位置するシャーブレード１１０の係合孔１１６に第１カム６１が係合し、上側に位置するシャーブレード１１０の係合孔１１６に第２カム６２が係合する。この状態でカム部材６０が回転駆動されると、一対のシャーブレード１１０は、バリカン本体１２に対して進退するように往復運動する。
【００２７】
図９に示すように、バリカン本体１２に生垣用ブレードアセンブリ１００を取り付けた場合、第３カム６３と第４カム６４は使用されない。そこで、使用されない第３カム６３と第４カム６４は、最終ギヤ５０の凹部５２に収容されるようになっている。本実施例のカム部材６０は、四つのカム６１、６２、６３、６４を有しており、そのサイズが比較的に大きい。従って、使用されない第３カム６３と第４カム６４については、最終ギヤ５０の内部に収容されるように構成することで、カム部材６０を配設するのに必要なスペースの縮小が図られている。
さらに、カム部材６０の中間プレート６５は、最終ギヤ５０の下側の端面に当接している。中間プレート６５が最終ギヤ５０に当接することで、カム部材６０の最終ギヤ５０に対する姿勢が安定する。それにより、動作時の不快な振動や騒音の発生が防止される。特に、本実施例では、中間プレート６５がその全周に亘って最終ギヤ５０に当接することで、カム部材６０の最終ギヤ５０に対する姿勢が非常に安定することになる。
【００２８】
図１０は、バリカン本体１２から生垣用ブレードアセンブリ１００を取り外した状態を示す。生垣用ブレードアセンブリ１００を取り外す場合、先ずはボトムカバー３０を取り外し（図１０では図示されていない）、次いで固定ねじ１４０を緩める。それにより、生垣用ブレードアセンブリ１００を下方に取り外すことができる。このとき、カム部材６０は生垣用ブレードアセンブリ１００と共にバリカン本体１２から取り外される。生垣用ブレードアセンブリ１００では、下プレート１２０がハウジング１４と干渉しないよう、その一部に折り曲げ部１２２が形成されている。この折り曲げ部１２２は、バリカン本体１２の一部と係合し、左右方向の位置決めを行う係合突起となっている。それにより、前方に位置する固定ねじ１４０のみを締め付ければ、後方に位置する折り曲げ部１２２もバリカン本体１２と係合することになり、生垣用ブレードアセンブリ１００はしっかりと固定される。また、折り曲げ部１２２が上方に長く設けられていることにより、組み立て時の位置決めも容易に行うことができる。
【００２９】
図１０に示すように、生垣用ブレードアセンブリ１００には、各々の固定ねじ１４０に対して、保持部材１５０が設けられている。保持部材１５０は、固定ねじ１４０を通過させる貫通孔１５２を有している。保持部材１５０は、バリカン本体１２から生垣用ブレードアセンブリ１００が取り外されたときに、固定ねじ１４０が落下することを防止する。
図１１を参照して、固定ねじ１４０と保持部材１５０の構造について説明する。図１１に示すように、固定ねじ１４０は、頭部１４２と軸部１４４を備えている。軸部１４４には、細径部分１４６とねじ部分１４８が形成されている。ねじ部分１４８は、バリカン本体１２のナット７２に捩じ込まれる。細径部分１４６は、ねじ部分１４８よりも頭部１４２側に位置しており、その外径はねじ部分１４８の外径よりも小さくなっている。
【００３０】
一方、保持部材１５０の貫通孔１５２には、小径部分１５４と大径部分１５６が形成されている。小径部分１５４には、固定ねじ１４０のねじ部分１４８に対応する寸法の雌ねじが刻設されている。この場合、小径部分１５４の内径は、固定ねじ１４０のねじ部分１４８の外径よりも小さくなる。従って、固定ねじ１４０のねじ部分１４８は、小径部分１５４をそのまま通過することはできない。それにより、固定ねじ１４０の落下が防止される。また、必要であれば、固定ねじ１４０を回転させることで、固定ねじ１４０を生垣用ブレードアセンブリ１００から取り外すこともできる。
【００３１】
図９に示すように、保持部材１５０は、生垣用ブレードアセンブリ１００がバリカン本体１２に取り付けられた状態で、生垣用ブレードアセンブリ１００とバリカン本体１２のナット７２の両者に当接する。それにより、固定ねじ１４０を強く締め付けた場合でも、生垣用ブレードアセンブリ１００が撓むようなことが防止される。なお、生垣用ブレードアセンブリ１００が撓んだ状態では、往復運動する一対のシャーブレード１０２に強い負荷が加えられ、生垣用ブレードアセンブリ１００の異常な発熱や破損といった問題が起こり得る。本実施例の保持部材１５０は、単に生垣用ブレードアセンブリ１００の変形を防止するだけではなく、その変形によって起こり得る異常な発熱や破損といった問題を未然に防止するものである。
【００３２】
ただし、保持部材１５０が生垣用ブレードアセンブリ１００とバリカン本体１２ｂの両者に当接する構成を採用すると、固定ねじ１４０を締め付けたり緩めたりする際に、固定ねじ１４０のねじ部分１４８が保持部材１５０に干渉することになる。固定ねじ１４０のねじ部分１４８が保持部材１５０に干渉すると、生垣用ブレードアセンブリ１００の位置が安定せず、当該ブレードアセンブリ１００を取り付けたり取り外したりする作業がやりづらくなる。
そこで、本実施例の保持部材１５０では、貫通孔１５２の一部に大径部分１５６が形成されている。図１１に示すように、大径部分１５６は、バリカン本体１２側の端部まで伸びており、その内径は、固定ねじ１４０のねじ部分１４８の外径よりも大きい。この構成によれば、固定ねじ１４０を締め付けたり緩めたりする際に、固定ねじ１４０のねじ部分１４８は大径部分１５６に出入りすることから、ねじ部分１４８が保持部材１５０に干渉することが防止される。特に、本実施例の大径部分１５６は、固定ねじ１４０のねじ部分１４８よりも十分に長く形成されており、固定ねじ１４０のねじ部分１４８を完全に収容できる構成となっている。
【００３３】
本実施例では、先に言及したように、スクリュウドライバ等の工具を用いることなく、固定ねじ１４０を締め付けたり緩めたりすることができる。即ち、固定ねじ１４０の頭部１４２には、直線状に伸びる直線溝１４２ａが形成されており、その直線溝１４２ａには、硬貨やメダルといったコイン状の部材を係合させることができる。当該直線溝１４２ａの形状は、図１にもよく示されている。この構成により、利用者は、スクリュウドライバ等の工具を携行することなく、例えば手持ちの硬貨を用いることにより、固定ねじ１４０を締め付けたり緩めたりすることができる。そのことから、本実施例の園芸用バリカン１０では、ブレードアセンブリ１００、２００を取り替える際に、工具を必要としない。
【００３４】
次に、カム部材６０と芝生用ブレードアセンブリ２００の一対のシャーブレード２１０とが接続される態様について説明する。
図１２、図１３に示すように、芝生用ブレードアセンブリ２００の各々のシャーブレード２１０の基端部２１４には、カム部材６０に係合するための係合孔２１６が形成されている。バリカン本体１２に芝生用ブレードアセンブリ２００を取り付ける場合、カム部材６０は、第１カム６１と第２カム６２が最終ギヤ５０側に位置する向きで、最終ギヤ５０に固定される。それにより、芝生用ブレードアセンブリ２００の場合は、下側に位置するシャーブレード２１０の係合孔２１６に第４カム６４が係合し、上側に位置するシャーブレード２１０の係合孔２１６に第２カム６２が係合する。この状態でカム部材６０が回転駆動されると、一対のシャーブレード２１０は、バリカン本体１２に対して揺動するように往復運動する。
【００３５】
図１３に示すように、バリカン本体１２に芝生用ブレードアセンブリ２００を取り付けた場合、第１カム６１と第２カム６２は使用されず、最終ギヤ５０の凹部５２に収容される。ここで、最終ギヤ５０の凹部５２には、第１カム６１及び第２カム６２の形状に対応する収容部分５２ａと、第３カム６３及び第４カム６４の形状に対応する収容部分５２ｂが形成されている。それにより、最終ギヤ５０の凹部５２に第１カム６１と第２カム６２が収容される場合でも、カム部材６０の中間プレート６５は最終ギヤ５０の下側の端面に当接する。カム部材６０は、表裏いずれの向きであっても、最終ギヤ５０に対して同じように固定され、その姿勢は安定している。
【００３６】
図１４は、バリカン本体１２から芝生用ブレードアセンブリ２００を取り外した状態を示す。芝生用ブレードアセンブリ２００を取り外す場合は、ボトムカバー３０を取り外すだけで（図１４では図示されていない）、芝生用ブレードアセンブリ２００を下方に取り外すことができる。芝生用ブレードアセンブリ２００は、カム部材６０を最終ギヤ５０に固定したまま、取り外すことができる。
【００３７】
以上のように、本実施例の園芸用バリカン１０は、カム部材６０に四つのカムが設けられており、それらのカムがバランスよく配置されているので、カム部材６０の質量バランスが良好に保たれている。また、カムの径寸法に応じてその厚み寸法が調整されているとともに、必要に応じて薄肉部を選択的に形成することによって、カム部材６０の質量バランスの向上が図られている。これらの構造により、園芸用バリカン１０の動作時に、不快な振動や騒音の発生が抑制される。
【００３８】
また、本実施例の園芸用バリカン１０では、ブレードアセンブリ１００、２００が頻繁に取り替えられることを想定し、生垣用ブレードアセンブリ１００の固定ねじ１４０の紛失を防止する対策が講じられている。また、ブレードアセンブリ１００、２００の取り替えに際して、スクリュウドライバのような工具を必要とすることなく、手軽に交換作業を行うことができる構造が採用されている。
【００３９】
ここで、固定ねじ１４０の紛失を防止する構造に関して、図１５、図１６に、変形例の固定ねじ１６０及び保持部材１７０を示す。固定ねじ１６０は、頭部１６２と軸部１６４を備えている。頭部１６２には、同様に直線溝１６２ａが形成されている。軸部１６４についても、同様に細径部分１６６とねじ部分１６８が形成されている。
【００４０】
一方、保持部材１７０は、先に説明した保持部材１５０よりも短縮されている。保持部材１７０の貫通孔１７２には、固定ねじ１６０のねじ部分１６８に対応する寸法の雌ねじが刻設されており、その内径は、ねじ部分１６８の外径よりも小さい。従って、固定ねじ１６０の落下が防止される。また、必要であれば、固定ねじ１６０を回転させることで、固定ねじ１６０を生垣用ブレードアセンブリ１００から取り外すこともできる。
図１６は、変形例の固定ねじ１６０及び保持部材１７０を用いて、バリカン本体１２に生垣用ブレードアセンブリ１００を取り付けた状態を示す。図１６に示すように、保持部材１７０の長さ寸法が短縮されたことによって、ナット７２と保持部材１７０との間に空間が形成され、保持部材１７０はナット７２に当接せず、その代わりにバリカン本体１２の他の一部に当接する。
このように、変形例の保持部材１７０は、その構造がシンプルであり、例えば汎用のナット等で構成することもできる。
【００４１】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組合せによって技術的有用性を発揮するものであり、出願時の請求項に記載の組合せに限定されるものではない。本明細書または図面に例示した技術は複数の目的を同時に達成するものであり、そのうちの一つの目的を達成すること自体で技術的有用性を持つものである。
【符号の説明】
【００４２】
１０：園芸用バリカン
１２：バリカン本体
２４：開口部
４０：モータ
５０：最終ギヤ（回転部材）
５２：凹部
６０：カム部材
６１：第１カム
６２：第２カム
６３：第３カム
６４：第４カム
６５：中間プレート
１００：生垣用ブレードアセンブリ
１１０：生垣用ブレードアセンブリのシャーブレード
１４０、１６０：固定ねじ
１４２、１６２：頭部
１４２ａ、１６２ａ：直線溝
１４４、１６４：軸部
１４６、１６６：細径部分
１４８、１６８：ねじ部分
１５０、１７０：保持部材
１５２、１７２：保持部材の貫通孔
１５４：保持部材の貫通孔の小径部分
１５６：保持部材の貫通孔の大径部分
２００：芝生用ブレードアセンブリ
２１０：芝生用ブレードアセンブリのシャーブレード
【図１】
2011030542.tif 000003
【図２】
2011030542.tif 000004
【図３】
2011030542.tif 000005
【図４】
2011030542.tif 000006
【図５】
2011030542.tif 000007
【図６】
2011030542.tif 000008
【図７】
2011030542.tif 000009
【図８】
2011030542.tif 000010
【図９】
2011030542.tif 000011
【図１０】
2011030542.tif 000012
【図１１】
2011030542.tif 000013
【図１２】
2011030542.tif 000014
【図１３】
2011030542.tif 000015
【図１４】
2011030542.tif 000016
【図１５】
2011030542.tif 000017
【図１６】
2011030542.tif 000018